(57)【要約】【課題】例えば、作業者の作業負担をより軽減して開閉器の誤投入を防止する、より不都合の少ない新規な構成である開閉装置を得る。【解決手段】電磁駆動式の第一アクチュエータと、開閉器と、第二アクチュエータと、可動干渉部材と、を備える。第一アクチュエータは、第一位置と第二位置との間で移動可能な可動部を有する。開閉器は、可動部が第一位置に位置されたときに電路が閉じられて閉路状態となり、可動部が第二位置に位置されたときに電路が開かれて開路状態となる。第二アクチュエータは、電気的に作動する。可動干渉部材は、第二アクチュエータの作動により、可動部と干渉し第二位置から第一位置へ移動するのを制限する干渉位置と、可動部と干渉しない非干渉位置と、の間で動かされる。【選択図】図２
2019102124.tif 000002
【特許請求の範囲】
【請求項１】
第一位置と第二位置との間で移動可能な可動部を有する電磁駆動式の第一アクチュエータと、
前記可動部が前記第一位置に位置されたときに電路が閉じられて閉路状態となり、前記可動部が前記第二位置に位置されたときに電路が開かれて開路状態となる開閉器と、
電気的に作動する第二アクチュエータと、
前記第二アクチュエータの作動により、前記可動部と干渉し前記第二位置から前記第一位置へ移動するのを制限する干渉位置と、前記可動部と干渉しない非干渉位置と、の間で動かされる干渉部を有する可動干渉部材と、
を備えた、開閉装置。
【請求項２】
前記可動干渉部材は、
前記干渉部が前記干渉位置に位置したときに、前記干渉部を前記干渉位置に保持させるように付勢する付勢部材、
を有する、請求項１に記載の開閉装置。
【請求項３】
前記可動干渉部材は、
前記干渉部が前記干渉位置に位置したときに前記干渉部の動きを制限する、オルタネイト機構のロック装置、
を有する、請求項２に記載の開閉装置。
【請求項４】
前記第二アクチュエータは、ソレノイドアクチュエータを有する、
請求項１から３のいずれか１項に記載の開閉装置。
【請求項５】
前記第二アクチュエータは、ステッピングモータを有する、
請求項１または２に記載の開閉装置。
【発明の詳細な説明】
【技術分野】
【０００１】
本発明の実施形態は、開閉装置に関する。
【背景技術】
【０００２】
従来の開閉装置は、ヨークに対して可動するアーマチュアが設けられた電磁アクチュエータを有する。
【先行技術文献】
【特許文献】
【０００３】
【特許文献１】ＷＯ  ２０１７／０３８６５８  Ａ１
【発明の概要】
【発明が解決しようとする課題】
【０００４】
この種の開閉装置では、例えば、作業者の作業負担をより軽減して開閉器の誤投入を防止することができる、より不都合の少ない新規な構成が得られれば、有益である。
【課題を解決するための手段】
【０００５】
実施形態の開閉装置は、電磁駆動式の第一アクチュエータと、開閉器と、第二アクチュエータと、可動干渉部材と、を備える。第一アクチュエータは、第一位置と第二位置との間で移動可能な可動部を有する。開閉器は、可動部が第一位置に位置されたときに電路が閉じられて閉路状態となり、可動部が第二位置に位置されたときに電路が開かれて開路状態となる。第二アクチュエータは、電気的に作動する。可動干渉部材は、第二アクチュエータの作動により、可動部と干渉し第二位置から第一位置へ移動するのを制限する干渉位置と、可動部と干渉しない非干渉位置と、の間で動かされる。
【図面の簡単な説明】
【０００６】
【図１】図１は、本実施形態による開閉装置を収容したスイッチギヤを示す例示的かつ模式的な断面図である。
【図２】図２は、本実施形態による開閉装置を例示的かつ模式的に示す斜視図である。
【図３Ａ】図３Ａは、本実施形態による電磁アクチュエータと開閉器との例示的かつ模式的な断面図であり、開閉器が開路状態の場合を示している。
【図３Ｂ】図３Ｂは、本実施形態による電磁アクチュエータと開閉器との例示的かつ模式的な断面図であり、開閉器が閉路状態の場合を示している。
【図４】図４は、本実施形態による駆動装置、ロック装置、および可動干渉部材のロッドを示す例示的かつ模式的な図である。
【図５】図５は、例示的かつ模式的なロック装置の断面図である。
【図６Ａ】図６Ａは、ロック装置の例示的かつ模式的な図であり、押部が突出したアンロック状態を示している。
【図６Ｂ】図６Ｂは、ロック装置の例示的かつ模式的な図であり、押部を押し込んだ状態を示している。
【図６Ｃ】図６Ｃは、ロック装置の例示的かつ模式的な図であり、押部への押圧荷重を除去したロック状態を示している。
【図７Ａ】図７Ａは、ロック装置の例示的かつ模式的な断面図であり、図６Ａに対応した状態を示している。
【図７Ｂ】図７Ｂは、ロック装置の例示的かつ模式的な断面図であり、図６Ｃに対応した状態を示している。
【図８Ａ】図８Ａは、可動干渉部材のスペーサを電磁アクチュエータの挿入部から抜いた状態を例示的かつ模式的に示す図である。
【図８Ｂ】図８Ｂは、可動干渉部材のスペーサを電磁アクチュエータの挿入部に挿入した状態を例示的かつ模式的に示す図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、図面において、Ｘ方向、Ｙ方向、およびＺ方向は一例であり、実施形態は、これらの方向に限定されない。
【０００９】
図１は、本実施形態による開閉装置１００を収容したスイッチギヤ１を示す例示的かつ模式的な断面図である。
【００１０】
図１に示すように、本実施形態のスイッチギヤ１においては、例えば、筐体２のＹ方向の端部およびＹ方向の反対方向の端部に、扉４Ａ，４Ｂが開閉可能に設けられている。筐体２の内部には、例えば、Ｙ方向に沿って延びる仕切板５が設けられている。仕切板５のＺ方向側には、バランス形電磁操作機構６が設けられている。バランス形電磁操作機構６のＺ方向側には、例えば、断路器７，８、電磁アクチュエータ９、変流器１０、および接地装置１１などが設けられている。断路器７のＺ方向側には、例えば、母線１２が設けられている。また、接地装置１１のＺ方向側には、例えば、ケーブルヘッド１３がＺ方向に向けて延びている。本実施形態による開閉装置１００は、例えば、電磁アクチュエータ９を含む。
【００１１】
図２は、本実施形態による開閉装置１００を例示的かつ模式的に示す斜視図である。図３Ａは、本実施形態による電磁アクチュエータ９と開閉器１０３との例示的かつ模式的な断面図であり、開閉器１０３が開路状態の場合を示している。図３Ｂは、本実施形態による電磁アクチュエータ９と開閉器１０３との例示的かつ模式的な断面図であり、開閉器１０３が閉路状態の場合を示している。
【００１２】
図２に示すように、開閉装置１００は、例えば、Ｙ方向の端部に設けられた電磁アクチュエータ９と、電磁アクチュエータ９のＹ方向の反対方向側に設けられた駆動装置１４と、駆動装置１４からＹ方向に沿って電磁アクチュエータ９まで延びる可動干渉部材１５と、開閉器１０３（図３Ａ参照）と、を有する。これらの電磁アクチュエータ９、駆動装置１４および可動干渉部材１５は、仕切板１６に載置されている。
【００１３】
図２および図３Ａに示すように、電磁アクチュエータ９は、例えば、ヨーク９０と、ヨーク９０の内方に収容されヨーク９０に対してＺ方向にスライド可能に構成されたアーマチュア９１と、を備える。図３Ａに示すように、ヨーク９０は、ヨーク９０を構成する壁部のうちＺ方向に延びる側壁部９２に設けられＹ方向に向けてヨーク９０の内方に突出する突起部９３と、ヨーク９０の上底壁部９４からＺ方向の反対方向に向けてヨーク９０の内方に突出する突出部９５と、突出部９５に設けられた磁石９６と、を有する。アーマチュア９１は、例えば、Ｙ方向およびＹ方向の反対方向の双方に突出しＺ方向で突起部９３に面する当接部９７と、Ｚ方向に向けて延びるロッド保持部９８と、ロッド保持部９８からＺ方向に突出するロッド９９と、ロッド９９の先端に設けられた接続部９９ａと、を有する。突出部９５には、磁石９６が設けられているため、突出部９５におけるＺ方向の反対側の底面は、吸引面９５ａに構成され、ロッド保持部９８のＺ方向側の上面は、吸引面９５ａに吸着可能な被吸引面９１ａに構成されている。突起部９３の下面の当接面９３ａと当接部９７の上面の当接面９７ａとの間には、Ｚ方向に沿った間隙Ｇが設けられ、この間隙Ｇは後述するスペーサ８５が挿入可能な挿入部１０１に構成されている。間隙ＧにおけるＺ方向に沿った第一距離Ｌ１と、吸引面９５ａと被吸引面９１ａとのＺ方向に沿った距離とは、ほぼ同一寸法となっている。
【００１４】
ここで、電磁アクチュエータ９において、図外の閉コイルが励磁されると、磁石９６の磁束に閉コイルの磁束が付加され、図３Ｂに示すように、ヨーク９０の吸引面９５ａがアーマチュア９１の被吸引面９１ａをＺ方向に向けて吸引し、吸引面９５ａと被吸引面９１ａとが当接する。これにより、アーマチュア９１がＺ方向に移動し、当接部９７の当接面９７ａが突起部９３の当接面９３ａに当接する。なお、アーマチュア９１の当該位置を便宜的に第一位置Ｐ１と称する。
【００１５】
一方、電磁アクチュエータ９において、図外の開コイルが励磁されると、磁石９６の磁束が開コイルの磁束に相殺され、ヨーク９０の吸引面９５ａがアーマチュア９１の被吸引面９１ａをＺ方向に向けて吸引する力が低下する。これにより、図３Ａに示すように、アーマチュア９１がＺ方向の反対方向に移動し、当接部９７の当接面９７ａが突起部９３の当接面９３ａから離間される。なお、アーマチュア９１の当該位置を便宜的に第二位置Ｐ２と称する。ここで、電磁アクチュエータ９は、電磁駆動式の第一アクチュエータの一例である。アーマチュア９１は、可動部の一例である。
【００１６】
また、開閉器１０３は、接続部９９ａに連結された可動電極１０４と、可動電極１０４にＺ方向で面する固定電極１０５と、これらの固定電極１０５および可動電極１０４を収容する真空容器１０６と、を備える。可動電極１０４は、アーマチュア９１と共にＺ方向に沿って移動する。
【００１７】
従って、図３Ａに示すように、アーマチュア９１がＺ方向の反対方向の端（第二位置Ｐ２）に位置しているときは、当接部９７がヨーク９０の下底壁部１０２に当接している。この場合、可動電極１０４が固定電極１０５から離間し、開閉器１０３は、電路が開かれた開路状態になっている。また、図３Ｂに示すように、アーマチュア９１がＺ方向の端（第一位置Ｐ１）に位置しているときは、当接部９７の当接面９７ａが、ヨーク９０の突起部９３の当接面９３ａに当接している。また、ロッド保持部９８の被吸引面９１ａが突出部９５の吸引面９５ａに吸着された状態で当接している。このとき、可動電極１０４が固定電極１０５に接触し、開閉器１０３は、電路が閉じられた閉路状態になっている。このように、アーマチュア９１がＺ方向の端の第一位置Ｐ１に位置されたときに開閉器１０３の電路が閉じられて閉路状態（図３Ｂ参照）となり、アーマチュア９１がＺ方向の反対方向の端の第二位置Ｐ２に位置されたときに開閉器１０３の電路が開かれて開路状態（図３Ａ参照）となる。ここで、図３Ａに示す、固定電極１０５と可動電極１０４とのＺ方向に沿った第二距離Ｌ２は、前述した第一距離Ｌ１よりも小さい。これは、図示はしていないが、開閉器１０３と開閉装置１００の間にはワイプばねが挿入されるため、ワイプばねの縮み量がある分、Ｌ１の方が大きくなるためである。なお、前記ワイプばねは、開閉器１０３の接触部を加圧し、通電時の電磁反発力による接触抵抗が低下することを防止するために挿入している。なお、図３Ａに示す、アーマチュア９１が位置するＺ方向の反対方向の端の第二位置Ｐ２は、可動部の第二位置の一例である。図３Ｂに示す、アーマチュア９１が位置するＺ方向の端の第一位置Ｐ１は、可動部の第一位置の一例である。
【００１８】
そして、図２に示すように、電気的に作動するアクチュエータである駆動装置１４の一例として、本実施形態では、ソレノイドアクチュエータ１７が設けられている。
【００１９】
本実施形態によるソレノイドアクチュエータ１７は、図示しないが、Ｙ方向に向けてらせん状に延びるソレノイドコイル（巻線）と、ソレノイドコイルの内方に収容されＹ方向に細長く延びる円柱状の鉄心と、を有する。これらのソレノイドコイルおよび鉄心は、図４に示すケース２０の内部に収容され、ケース２０のＹ方向側の壁部から鉄心１９の端部１９ａが突出している。電流を流したソレノイドコイルの内方には磁界が発生し、鉄心１９がＹ方向に向けて押し出される。ソレノイドコイルへの電流を切るとソレノイドコイルの内方の磁界が消え、鉄心１９がＹ方向の反対方向に向けて、ケース２０の内方に引き込まれるように移動する。なお、ソレノイドアクチュエータ１７は、第二アクチュエータの一例である。
【００２０】
図２に示すように、可動干渉部材１５は、オルタネイト機構のロック装置２１と、ロック装置２１に接続されてＹ方向に延びるロッド２２と、ロッド２２の先端に設けられたばね２３と、ばね２３の先端に設けられた干渉部アッセンブリ３００と、を有する。
【００２１】
まず、ロック装置２１について説明する。図４は、本実施形態による駆動装置１４、ロック装置２１、および可動干渉部材１５のロッド２２を示す例示的かつ模式的な図である。図５は、例示的かつ模式的なロック装置２１の断面図である。図７Ａは、ロック装置２１の例示的かつ模式的な断面図であり、図６Ａに対応した状態を示している。図７Ｂは、ロック装置２１の例示的かつ模式的な断面図であり、図６Ｃに対応した状態を示している。
【００２２】
ロック装置２１は、例えば、オルタネイト機構の回転カム方式のロック装置２１である。図４に示すように、ロック装置２１は、ソレノイドアクチュエータ１７とロッド２２との間に設けられる。図５に示すように、ロック装置２１は、例えば、支持部材２５と、支持部材２５に設けられる可動ピンアッセンブリ２００と、を有する。支持部材２５は、仕切板１６（図２参照）に固定される支持部２７と、可動ピンアッセンブリ２００を収容する収容部２８と、を有する。
【００２３】
収容部２８の内周面には、径方向内側（内周側）に突出する内周側凸部３０が周方向に間隔をおいて複数設けられている。それぞれの内周側凸部３０は、Ｙ方向に延びており、Ｙ方向の端部には、カム部３１が設けられる。図７Ａに示すように、カム部３１は、例えば、頂部３２、傾斜部３３および底部３４を有する。また、周方向に隣接する内周側凸部３０の側部３０ａ，３０ｂ同士の間には、例えば、Ｙ方向に延びる溝３５が設けられている。
【００２４】
図５に示すように、可動ピンアッセンブリ２００は、例えば、押圧部材４０と、回転子５０と、可動ピン６０と、スプリング７０と、を有する。
【００２５】
押圧部材４０は、例えば、Ｙ方向の端部に設けられた大径部４１と、大径部４１のＹ方向の反対側に設けられた小径部４２と、小径部４２のＹ方向の反対側に設けられた押部４３と、を有する。大径部４１のＹ方向の端部には、例えば、周方向に沿って凹凸が並んだ凹凸部４４が設けられる。具体的には、凹凸部４４は、図７Ａに示すように、Ｙ方向の端部に設けられた頂部４４ａと、Ｙ方向の反対方向の端部に設けられた底部４４ｂと、これらの頂部４４ａと底部４４ｂとの間に設けられた傾斜部４４ｃと、を有する。大径部４１のＹ方向の反対方向の端部には、収容部２８の他方側端部壁３６に当接可能な当接部４１ａが設けられている。
【００２６】
図５に示すように、回転子５０は、例えば、円筒または円柱の形状を有する。外周面に、周方向に間隔をおいて複数の支持突起５１が設けられている。それぞれの支持突起５１は、Ｙ方向に沿って延びており、Ｙ方向の反対側の先端５１ａは、Ｙ方向の反対方向に向かうにつれて周方向の幅が小さくなるように先細りした傾斜部になっている。また、回転子５０には、Ｙ方向に延びる支持凸部５２が設けられている。
【００２７】
回転子５０のＹ方向側には、Ｙ方向に延びる可動ピン６０が設けられている。可動ピン６０は、Ｙ方向の端部６０ａが支持部材２５からＹ方向に突出し、Ｙ方向の反対方向の端部６０ｂは、支持凸部５２に回転可能に支持されている。可動ピン６０の外周面には、径方向の外側に突出するスプリング保持突起６１が設けられている。可動ピン６０の外周側にはスプリング７０が設けられ、スプリング７０におけるＹ方向の反対方向の端部は、スプリング保持突起６１によって保持される。これによって、スプリング７０のＹ方向の端部は支持部材２５の一方側端部壁３７で保持され、スプリング７０のＹ方向の反対方向の端部はスプリング保持突起６１で保持される。よって、押圧部材４０は、Ｙ方向の反対方向に向けて付勢されている。
【００２８】
次いで、図６Ａから図６Ｃ、および、図７Ａから図７Ｂを参照して、ロック装置２１の作動形態を説明する。
【００２９】
図６Ａは、ロック装置２１の例示的かつ模式的な図であり、押部４３が突出したアンロック状態を示している。図６Ｂは、ロック装置２１の例示的かつ模式的な図であり、押部４３を押し込んだ状態を示している。図６Ｃは、ロック装置２１の例示的かつ模式的な図であり、押部４３への押圧荷重を除去したロック状態を示している。
【００３０】
図７Ａに示すように、初期位置（Ｐ１０）においては、押圧部材４０における大径部４１の当接部４１ａが支持部材２５の他方側端部壁３６の内面に当接し、押圧部材４０がＹ方向の反対方向に向けて最も突出したアンロック状態になっている。図７Ａは、図６Ａの位置に対応している。
【００３１】
図６Ｂに示すように、押部４３がＹ方向に向けて押し込まれる中間位置（Ｐ２０）においては、図７Ａに示す押圧部材４０の凹凸部４４によって支持突起５１および回転子５０がＹ方向に移動する。そして、図７Ｂに示すように、支持突起５１がカム部３１の頂部３２（破線参照）から傾斜部３３をスライドして底部３４に保持される。これによって、回転子５０および可動ピン６０のＹ方向の移動が制限され、図６Ｃに示すように、可動ピン６０のＹ方向の端部６０ａがＹ方向に突出したままのロック位置（Ｐ３０）となる。
【００３２】
次に、図６Ｂのように、押部４３がＹ方向に向けて再度押し込まれると、支持突起５１がカム部３１から外れ、図６Ａおよび図７Ａの初期位置に戻り、アンロック状態に戻る。
【００３３】
図４に示すように、ロック装置２１の可動ピン６０には、Ｙ方向に延びるロッド２２が接続されている。図２に示すように、仕切板１６には、保持ブラケット５３が設けられている。保持ブラケット５３は、仕切板１６に固定された底板部５３ａと、底板部５３ａの端部からＺ方向に延びる縦壁部５３ｂと、を有する。保持ブラケット５３にロッド支持部材５４が設けられている。また、電磁アクチュエータ９のＸ方向側には、ロッド支持プレート５５が設けられている。これらのロッド支持部材５４およびロッド支持プレート５５には、貫通孔５４ａ，５５ａが設けられ、ロッド２２がＹ方向に沿って移動可能に貫通孔５４ａ，５５ａに挿入されている。
【００３４】
図８Ａは、可動干渉部材１５のスペーサ８５を電磁アクチュエータ９の挿入部１０１から抜いた状態を例示的かつ模式的に示す図である。図８Ｂは、可動干渉部材１５のスペーサ８５を電磁アクチュエータ９の挿入部１０１に挿入した状態を例示的かつ模式的に示す図である。
【００３５】
図８Ａに示すように、ロッド２２のＹ方向の端部には、Ｙ方向に沿ってばね２３が設けられている。また、ばね２３の先端には、干渉部アッセンブリ３００が接続されている。干渉部アッセンブリ３００は、レバー支持体８１と、レバー８３と、スペーサ８５と、を有する。なお、ばね２３は、付勢部材の一例である。
【００３６】
レバー支持体８１は、ばね２３のＹ方向の端部に接続されＹ方向にスライド可能に設けられている。レバー８３は、Ｚ方向から見てＬ字状に屈曲し、Ｙ方向の反対方向の端部が第一回転軸８２を介してレバー支持体８１に回転可能に支持されている。また、スペーサ８５は、Ｚ方向から見て扇形の形状を有しており、端部に第二回転軸８６を有するため、第二回転軸８６を回転中心として図８Ａの反時計回り方向にスペーサ８５が回転する。さらに、スペーサ８５は、第二回転軸８６と離間した部位に第三回転軸８４を有し、レバー８３のＹ方向の端部が第三回転軸８４の回転軸回りに回転可能に支持されている。
【００３７】
ソレノイドアクチュエータ１７（図２参照）が未作動時においては、図８Ａに示すように、ロッド２２が最もＹ方向の反対方向側に位置している。このとき、スペーサ８５は挿入部１０１の外側（Ｘ方向側）に位置している。ソレノイドアクチュエータ１７の作動時においては、鉄心がＹ方向に移動し、ロッド２２もＹ方向に移動する。すると、図８Ｂに示すように、ばね２３が縮みＹ方向に向けて付勢力が作用すると、レバー支持体８１およびレバー８３がＹ方向に移動する。そして、第三回転軸８４がスペーサ８５を押すため、スペーサ８５は第二回転軸８６を中心として第二回転軸８６回りに回転し、挿入部１０１に挿入される。このとき、ばね２３は縮んだ状態に保持されている。なお、スペーサ８５は、干渉部の一例である。また、図８Ｂに示す、スペーサ８５が挿入部１０１に挿入された位置は、図３Ａに示すアーマチュア９１の第二位置から図３Ｂで示すアーマチュア９１の第一位置へ移動するのを制限する、スペーサ８５の干渉位置の一例である。図８Ａに示す挿入部１０１の外側位置は、非干渉位置の一例である。便宜的に、図８Ａにスペーサ８５の非干渉位置をＰoutとして示し、図８Ｂに干渉位置をＰinとして示す。
【００３８】
なお、ロック装置は、例えば、図示しないハートカム構造のロック装置であってもよい。当該ロック装置は、例えば、原動体と、従動体と、を備える。原動体には、いわゆるハート形状の溝が設けられている。従動体は、Ｙ方向に沿って細長く延びるプレートと、プレートの端部に保持されたばねピンと、を有し、原動体にスライド可能に保持されている。従動体をＹ方向に押すと、ばねピンが溝に沿ってＹ方向に摺動し、従動体が第一保持部に保持される。次に、再度、従動体をＹ方向に押すと、ばねピンが溝に沿ってＹ方向の反対方向に摺動し、従動体が第二保持部に保持される。
【００３９】
以上説明したように、本実施形態による開閉装置１００は、第一位置Ｐ１と第二位置Ｐ２との間で移動可能なアーマチュア９１（可動部）を有する電磁アクチュエータ９（第一アクチュエータ）と、アーマチュア９１が第一位置Ｐ１に位置されたときに電路が閉じられて閉路状態となり、アーマチュア９１が第二位置Ｐ２に位置されたときに電路が開かれて開路状態となる開閉器１０３と、ソレノイドアクチュエータ１７（第二アクチュエータ）と、ソレノイドアクチュエータ１７の作動により、アーマチュア９１と干渉し第二位置Ｐ２から第一位置Ｐ１へ移動するのを制限する干渉位置Ｐinと、アーマチュア９１と干渉しない非干渉位置Ｐoutと、の間で動かされるスペーサ８５（干渉部）を有する可動干渉部材１５と、を備えている。
【００４０】
従来は、作業者などが手動で、可動干渉部材１５のスペーサ８５を干渉位置Ｐinと非干渉位置Ｐoutとの間で動かしていた。例えば、スペーサ８５が挿入部１０１に挿入された状態で、開閉器１０３を図３Ｂの閉路状態にしようとしても、スペーサ８５の厚みによって突起部９３と当接部９７とを当接することが制限され、開路状態が維持される。ここで、本実施形態では、ソレノイドアクチュエータ１７（第二アクチュエータ）の作動によって、可動干渉部材１５のスペーサ８５（干渉部）を干渉位置と非干渉位置との間で動かすことができる。従って、例えば、図外の操作スイッチを扉４Ａ，４Ｂ（図１参照）などに設けることにより、作業者が遠隔操作でソレノイドアクチュエータ１７を作動させることができ、作業者の作業負担を、より軽減して開閉器１０３の誤投入を防止することができる。
【００４１】
また、可動干渉部材１５は、スペーサ８５（干渉部）が干渉位置Ｐinに位置したときに、スペーサ８５を干渉位置Ｐinに保持させるように付勢するばね２３（付勢部材）を有する。従って、外部からスペーサ８５に振動などの外力が入力された場合でも、スペーサ８５を干渉位置Ｐinに安定的に保持させることができる。
【００４２】
可動干渉部材１５は、スペーサ８５（干渉部）が干渉位置Ｐinに位置したときにスペーサ８５の動きを制限する、オルタネイト機構のロック装置２１を有する。従って、ソレノイドアクチュエータ１７の作動を止めても、スペーサ８５を干渉位置Ｐinに安定的に保持させることができる。よって、ソレノイドアクチュエータ１７を常に励磁しておく必要がないため、電力の省力化を図ることができる。なお、オルタネイト機構は、プッシュオンプッシュオフ機構とも称する。
【００４３】
また、開閉装置１００は、ソレノイドアクチュエータ１７（第二アクチュエータ）を有する。ソレノイドアクチュエータ１７は、例えば、ソレノイドコイルおよび鉄心で構成されるため、単純な構造でコストも安価に抑えることができる。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４５】
例えば、前記実施形態では、ソレノイドアクチュエータ１７を第二アクチュエータの一例としたが、例えば、ステッピングモータを第二アクチュエータとしてもよい。
【００４６】
また、前記実施形態では、図３Ａで示すアーマチュア９１が第二位置Ｐ２に位置したときに、ソレノイドアクチュエータ１７を作動させて、図３Ａに示すように、スペーサ８５を挿入部１０１に挿入させる形態を説明した。しかし、図３Ｂで示すアーマチュア９１が第一位置Ｐ１に位置したときに、図２で示すソレノイドアクチュエータ１７を作動させて、図３Ｂで示すように、スペーサ８５を当接部９７に弾性的に押し付けた状態としてもよい。この場合、アーマチュア９１がＺ方向の反対方向に移動して第二位置Ｐ２になって間隙Ｇが生じたときに、ばね２３（図８Ａ，８Ｂ参照）の付勢力によって、スペーサ８５が自動的に挿入部１０１に挿入される。
【符号の説明】
【００４７】
９…電磁アクチュエータ（第一アクチュエータ）、１５…可動干渉部材、１７…ソレノイドアクチュエータ（第二アクチュエータ）、２１…ロック装置、２３…ばね（付勢部材）、８５…スペーサ（干渉部）、９１…アーマチュア（可動部）、１００…開閉装置、１０３…開閉器。
【図１】
2019102124.tif 000003
【図２】
2019102124.tif 000004
【図３Ａ】
2019102124.tif 000005
【図３Ｂ】
2019102124.tif 000006
【図４】
2019102124.tif 000007
【図５】
2019102124.tif 000008
【図６Ａ】
2019102124.tif 000009
【図６Ｂ】
2019102124.tif 000010
【図６Ｃ】
2019102124.tif 000011
【図７Ａ】
2019102124.tif 000012
【図７Ｂ】
2019102124.tif 000013
【図８Ａ】
2019102124.tif 000014
【図８Ｂ】
2019102124.tif 000015